(57)【要約】【課題】ウェアラブル装置と撮像装置とを同期させ、撮像装置の使用時のみ入力操作を可能にした、撮像装置システムを提供すること。【解決手段】振動、もしくは加速度を検知する振動加速度検知手段を有する撮像装置と、同じく、振動、もしくは加速度を検知する振動加速度検知手段を有する手腕部装着装置とを有するカメラシステムにおいて、撮像装置と手腕部装着装置の通信結果によって撮像装置の操作を制御するモードを有し、当該モードにおいて、撮像装置の振動加速度検知手段と、手腕部装着装置の振動加速度検知手段とが検知する振動もしくは加速度が略同期しないとき、撮像装置の操作を禁止する操作禁止手段を有し、操作禁止手段は、撮像装置の振動加速度検知手段と手腕部装着装置の振動加速度検知手段とが検知する振動もしくは加速度が略同期するとき、操作の禁止を解除することを有することを特徴とする。【選択図】図４
2018205649.tif 000002
【特許請求の範囲】
【請求項１】
振動、もしくは加速度を検知する振動加速度検知手段を有する撮像装置と、
同じく、振動、もしくは加速度を検知する振動加速度検知手段を有する手腕部装着装置と、
前記撮像装置と前記手腕部装着装置とが通信可能な通信手段を有するカメラシステムにおいて、
前記撮像装置と前記手腕部装着装置の通信結果によって、前記撮像装置の操作を制御する操作制御モードを有し、
前記操作制御モードにおいて、
前記撮像装置の振動加速度検知手段と、前記手腕部装着装置の振動加速度検知手段とが検知する振動、もしくは加速度が、同期しないとき、前記撮像装置の操作を禁止する操作禁止手段を有し、
前記操作禁止手段は、前記撮像装置の振動加速度検知手段と前記手腕部装着装置の振動加速度検知手段とが検知する振動もしくは加速度が同期するとき、操作の禁止を解除することを有することを特徴とする撮像装置。
【請求項２】
前記撮像装置が有する、振動、もしくは加速度を検知する検知手段は、前記撮像装置のグリップ部に配されていることを特徴とする請求項１に記載の撮像装置。
【請求項３】
前記撮像装置と前記手腕部装着装置の通信手段は、前記手腕部装着装置の個別情報を予め前記撮像装置に登録する個別情報登録手段を備えており、
前記操作禁止手段は、前記撮像装置と前記個別情報登録手段によって登録された手腕部装着装置とが検知する振動もしくは加速度が同期するとき、操作の禁止を解除することを特徴とする請求項１に記載の撮像装置。
【請求項４】
前記通信手段は、前記撮像装置と前記手腕部装着装置間の距離を測定可能な機器間距離測定手段を有しており、
前記操作禁止手段は、前記撮像装置の振動加速度検知手段と、前記手腕部装着装置の振動加速度検知手段とが検知する振動もしくは加速度が同期しないときであっても、前記撮像装置の加速度検知手段か検知する振動もしくは加速度が所定値以下であり、かつ前記機器間距離測定手段によって検知された距離が所定値以下である場合には、操作の禁止を解除することを有することを特徴とする請求項１に記載の撮像装置。
【請求項５】
前記撮像装置の操作手段は、少なくとも２つ以上の位相を有するスイッチ手段を有しており、前記操作禁止手段は、前記撮像装置の振動加速度検知手段と、前記手腕部装着装置の振動加速度検知手段とが検知する振動もしくは加速度が同期しないとき、前記スイッチ手段の切替信号を受付けず、前記撮像装置の振動加速度検知手段と前記手腕部装着装置の振動加速度検知手段とが検知する振動もしくは加速度が同期したときに、スイッチ手段の切替信号を受付けることを特徴とする撮像装置。
【発明の詳細な説明】
【技術分野】
【０００１】
本発明は、誤操作を防止する撮像装置システムに関し、特にウェアラブル装置と連携して誤操作を防止する撮像装置システムに関する。
【背景技術】
【０００２】
従来の撮像装置には、撮像装置の誤操作防止のため、操作部にロック機構を備えた撮像装置が多く存在する。ロック機構を有した操作部は、ロック機構を解除しながら、もしくはロックの解除を完了させた後に操作可能になる。
【０００３】
しかしながら、ロック機構による誤操作防止方法は、前記のように、操作前にロック機構を、解除する操作をしなければならず、操作が煩雑となってしまう。
【０００４】
一方で、特許文献１には、眼鏡などのウェアラブル装置によって、撮像装置を操作する方法が提案されている。同文献の記載内容によれば、眼鏡型ウェアラブルと、電動雲台に備えられた撮像装置との間で、ＬＥＤ等の指標によって、眼鏡型ウェアラブルと撮像装置側のファインダを同期させる技術が開示されている。
【０００５】
また、特許文献２には、人体通信手段を用いて、装置の入力操作を禁止する方法が提案されている。同文献の記載内容によれば、運転者が所持した認証キーを、人体通信を通じて、運転席座面の受信機で読み取り、自動車が走行中に運転者がナビゲーション装置の操作入力を禁止する技術が開示されている。
【先行技術文献】
【特許文献】
【０００６】
【特許文献１】特開平７−２０９７００号公報
【特許文献２】特開２０１１−６８１４７号公報
【発明の概要】
【発明が解決しようとする課題】
【０００７】
しかしながら、上述の特許文献１に開示された従来技術では、ウェアラブル眼鏡と電動雲台に備えられた撮像装置のファインダを、光センサで同期することは可能であるが、操作をロックさせるといった要因は記載されていない。
【０００８】
また、特許文献２に開示された、人体通信技術を使用して、撮像装置の入力操作禁止を実施した場合、撮像装置は首、肩から下げて携行するため、撮像装置使用時でなくても、人体と撮像装置が接触する可能性がある。このため、首、肩から下げている時の誤操作を正確に防止することができない。
【０００９】
そこで、本発明の目的は、ウェアラブル装置と撮像装置とを同期させ、撮像装置の使用時のみ入力操作を可能にした、撮像装置システムを提供することにある。
【課題を解決するための手段】
【００１０】
上記の目的を達成するために、本発明に係る撮像装置は、
振動、もしくは加速度を検知する振動加速度検知手段を有する撮像装置と、同じく、振動、もしくは加速度を検知する振動加速度検知手段を有する手腕部装着装置と、前記撮像装置と前記手腕部装着装置とが通信可能な通信手段を有するカメラシステムにおいて、前記撮像装置と前記手腕部装着装置の通信結果によって、前記撮像装置の操作を制御する操作制御モードを有し、前記操作制御モードにおいて、前記撮像装置の振動加速度検知手段と、前記手腕部装着装置の振動加速度検知手段とが検知する振動、もしくは加速度が、略同期しないとき、前記撮像装置の操作を禁止する操作禁止手段を有し、前記操作禁止手段は、前記撮像装置の振動加速度検知手段、と前記手腕部装着装置の振動加速度検知手段とが検知する振動、もしくは加速度が略同期するとき、操作の禁止を解除することを有することを特徴とする。
【発明の効果】
【００１１】
本発明によれば、ウェアラブル装置と撮像装置を同期させ、撮像装置使用時のみ入力操作を可能にした、撮像装置システムを提供することができる。
【図面の簡単な説明】
【００１２】
【図１】本実施例における撮像装置の一例であるデジタルカメラの外観図である。
【図２】本実施例における手腕部装着装置の一例であるリストバンド式ウェアラブル装置の外観図である。
【図３】本実施例の一例であるデジタルカメラとリストバンド式ウェアラブル装置のブロック図である。
【図４】本実施例における、操作ロックモードの処理を示したフローチャートである。
【図５】本実施例における、操作ロックモード中にスイッチが操作された場合の処理を示した、フローチャートである。
【発明を実施するための形態】
【００１３】
以下に、本発明の好ましい実施形態を、添付の図面に基づいて詳細に説明する。
【実施例】
【００１４】
図１（ａ）、（ｂ）に本発明の撮像装置の一例としてのデジタルカメラの外観図を示す。
【００１５】
図１（ａ）はデジタルカメラ１００の前面斜視図であり、図１（ｂ）はデジタルカメラ１００の背面斜視図である。
【００１６】
図１において、シャッターボタン６１は撮影指示を行うための操作部である。モード切替スイッチ６０は各種モードを切り替えるための操作部である。メイン電子ダイヤル７１は回転操作部材であり、このメイン電子ダイヤル７１を回すことで、シャッター速度や絞りなどの設定値の変更等が行える。
【００１７】
電源スイッチ７２はデジタルカメラ１００の電源のＯＮおよびＯＦＦを切り替える操作部材である。電源スイッチ７２は公知のトグルスイッチ構造となっており、スイッチレバーがＯＮとＯＦＦの２つのポジションあり、回動させて切り替え操作を行う。十字キー７４は、上、下、左、右部分をそれぞれ押し込み可能な十字キーである。十字キー７４の押した部分に応じた操作が可能である。ＳＥＴボタン７５は押しボタンであり、主に選択項目の決定などに用いられる。
【００１８】
ＬＶボタン７６は、静止画撮影モードにおいてライブビュー（以下、ＬＶ）のＯＮとＯＦＦを切り替えるボタンである。動画撮影モードにおいては、動画撮影（記録）の開始、停止の指示に用いられる。拡大ボタン７７は、撮影モードのライブビュー表示において拡大モードのＯＮ、ＯＦＦ、および拡大モード中の拡大率の変更を行うための操作ボタンである。再生モードにおいては再生画像を拡大し、拡大率を増加させるための拡大ボタンとして機能する。
【００１９】
再生ボタン７８は、撮影モードと再生モードとを切り替える操作ボタンである。撮影モード中に再生ボタン７８を押下することで再生モードに移行し、記録媒体２００に記録された画像のうち最新の画像を表示ユニット４０に表示させることができる。クイックリターンミラー１２は、システム制御部５０から指示されて、不図示のアクチュエータによりアップダウンされる。カメラ側通信端子１０はデジタルカメラ１００がレンズ側（着脱可能）と通信を行うための通信端子である。
【００２０】
接眼ファインダ１６はフォーカシングスクリーン１３を観察することで、後述のレンズユニット１５０を通して得た被写体の光学像の焦点や構図の確認を行うための覗き込み型のファインダである。蓋２０２は記録媒体２００を格納したスロットの蓋である。グリップ部９０は、ユーザがデジタルカメラ１００を構えた際に右手で握りやすい形状とした保持部である。グリップ部９０内部には、後述の振動加速度センサ５１が備えられており、デジタルカメラ１００のグリップ部９０における振動加速度を検知している。
【００２１】
表示ユニット４０は画像や各種情報を表示するユニットであり、ヒンジ部４３によって、開閉方向、上下反転方向の２軸で回転可能に支持されている。
【００２２】
図２に本発明のウェアラブル装置の一例として、リストバンド式のウェアラブル装置３００の外観図を示す。
【００２３】
リストバンド式のウェアラブル装置は公知のベルト３０１により、ユーザの腕部に着脱可能となっている。リストバンド式のウェアラブル装置３００の内部には、ウェアラブル装置側の振動加速度センサ９１が備えられており、ウェアラブル装置の振動加速度を検知している。
【００２４】
リストバンド式ウェアラブル装置３００はユーザの右手首に装着され、ユーザが右手でカメラ１００を把持した際、グリップ部９０内部に備えられた振動加速度センサ５１と、ウェアラブル装置側の振動加速度センサ９１が検知する振動加速度は、略同一となるよう構成されている。
【００２５】
なお、本実施例においては、ユーザの腕部に装着可能なように、リストバンド式のウェアラブル装置としているが、これに限定されるものではなく、指に装着可能な様に、指輪型のウェアラブル装置としてもよい。
【００２６】
図３は、本実施形態によるデジタルカメラ１００のとリストバンド式のウェアラブル装置３００の構成例を示すブロック図である。
【００２７】
図３において、レンズユニット１５０は、交換可能な撮影レンズを搭載するレンズユニットである。
【００２８】
レンズ１５１は通常、複数枚のレンズから構成されるが、ここでは簡略して一枚のレンズのみで示している。レンズ側通信端子６はレンズユニット１５０がデジタルカメラ１００側と通信を行うための通信端子であり、カメラ側通信端子１０はデジタルカメラ１００がレンズユニット１５０側と通信を行うための通信端子である。
【００２９】
レンズユニット１５０は、このレンズ側通信端子６、および、カメラ側通信端子１０を介してシステム制御部５０と通信し、内部のレンズシステム制御回路４によって絞り駆動回路２を介して絞り１５２の制御を行い、ＡＦ駆動回路３を介して、レンズ１５１の位置を変位させることで焦点を合わせる。
【００３０】
ＡＥセンサ１７は、レンズユニット１５０を通した被写体の輝度を測光する。
【００３１】
焦点検出部１１は、システム制御部５０にデフォーカス量情報を出力する。システム制御部５０はそれに基づいてレンズユニット１５０を制御し、位相差ＡＦを行う。
【００３２】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１５１から入射した光束をファインダ１６側と撮像素子部２２側とに切替えるためのミラーである。ミラー１２は通常時はファインダ１６へと光束を導くよう反射させるように配されているが、撮影が行われる場合やライブビュー表示の場合には、撮像素子部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３３】
撮影者は、ペンタプリズム１４とファインダ１６を介して、フォーカシングスクリーン１３を観察することで、レンズユニット１５０を通して得た被写体の光学像の焦点や構図の確認が可能となる。
【００３４】
シャッター１０１は、システム制御部５０の制御で撮像素子部２２の露光時間を自由に制御できるフォーカルプレーンシャッターである。
【００３５】
撮像素子部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像素子部２２から出力されるアナログ信号をデジタル信号に変換するために用いられる。
【００３６】
画像処理部２５は、Ａ／Ｄ変換器２３からのデータ、又は、メモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００３７】
Ａ／Ｄ変換器２３からの出力データは、画像処理部２５およびメモリ制御部１５を介して、或いは、メモリ制御部１５を介してメモリ３２に直接書き込まれる。メモリ３２は、撮像素子部２２によって得られＡ／Ｄ変換器２３によりデジタルデータに変換された画像データや、ＬＣＤパネル４１に表示するための画像データを格納する。メモリ３２は、所定枚数の静止画像や所定時間の動画像および音声を格納するのに十分な記憶容量を備えている。
【００３８】
また、メモリ３２は画像表示用のメモリ（ビデオメモリ）を兼ねている。Ｄ／Ａ変換器２４は、メモリ３２に格納されている画像表示用のデータをアナログ信号に変換してＬＣＤパネル４１に供給する。こうして、メモリ３２に書き込まれた表示用の画像データはＤ／Ａ変換器２４を介してＬＣＤパネル４１により表示される。Ａ／Ｄ変換器２３によって一度Ａ／Ｄ変換されメモリ３２に蓄積されたデジタル信号をＤ／Ａ変換器２４においてアナログ変換し、ＬＣＤパネル４１に逐次転送して表示することで、電子ビューファインダとして機能し、スルー画像表示（ライブビュー表示）を行える。
【００３９】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートなどを実行するためのプログラムのことである。
【００４０】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器２４、ＬＣＤパネル４１等を制御することにより表示制御も行う。
【００４１】
システムタイマー５３は各種制御に用いる時間や、内蔵された時計の時間を計測する計時部である。振動加速度センサ５１は前述の通り、グリップ部９０内部に備えられており、振動加速度を検知して、検知結果を信号としてシステム制御部５０に伝送する。
【００４２】
無線通信装置５４は、公知の近距離無線装置であり、無線通信によって、外部電子機器に撮影した静止画像や動画像、各種信号などを送信可能である。また、外部電子機器からも静止画像や動画像、各種信号などを受信することができる。なお、本実施例においては、リストバンド式ウェアラブル装置３００に備えられた、ウェアラブル装置側の無線通信装置９２と無線通信可能に構成されている。
【００４３】
モード切替スイッチ６０、第１シャッタースイッチ６２、第２シャッタースイッチ６３、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００４４】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００４５】
第２シャッタースイッチ６３は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像素子部２２からの信号読み出しから記録媒体２００に画像データを書き込むまでの一連の撮影処理の動作を開始する。
【００４６】
操作部７０の各操作部材は、ＬＣＤパネル４１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面がＬＣＤパネル４１に表示される。利用者は、ＬＣＤパネル４１に表示されたメニュー画面と、上下左右の４方向ボタンやＳＥＴボタンとを用いて各種設定を行うことができる。
【００４７】
操作部７０は、ユーザからの操作を受け付ける入力部としての各種操作部材である。操作部７０には、少なくとも以下の操作部が含まれる。メイン電子ダイヤル７１、電源スイッチ７２、十字キー７４、ＳＥＴボタン７５、ＬＶボタン７６、拡大ボタン７７、再生ボタン７８。
【００４８】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果およびシステム制御部５０の指示に基づいてＤＣ−ＤＣコンバータを制御し、必要な電圧を必要な期間、記録媒体２００を含む各部へ供給する。
【００４９】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリ等から構成される。
【００５０】
図３のブロック図内において、リストバンド式ウェアラブル装置３００には、先述の振動加速度センサ９１、無線通信装置９２が備えられている。さらに、システム制御部９３、電源制御部９４、電源部９５などが備えられている。
【００５１】
振動加速度センサ９１は前述の通り、振動加速度を検知して、検知結果を信号としてシステム制御部９０に伝送する。無線通信装置９２は、公知の近距離無線装置であり、無線通信によって、デジタルカメラ１００側の無線通信装置５４に各種信号などを送信可能に構成されている。システム制御部９３は、リストバンド式ウェアラブル装置３００全体を制御する。ウェアラブル装置側の振動加速度センサ９１から受け取った信号を無線通信装置９２を介し、デジタルカメラ１００側の無線通信装置５４へ伝送するように指示することが可能である。電源制御部９４は、電池検出回路、ＤＣ−ＤＣコンバータ、通電するブロックを切り替えるスイッチ回路等により構成され、電池の装着の有無、電池の種類、電池残量の検出を行う。電源部９５は、アルカリ電池やリチウム電池等の一次電池やＮｉＣｄ電池やＮｉＭＨ電池、Ｌｉ電池等の二次電池等からなる。
【００５２】
図４は本実施形態による、ウェアラブル装置を利用した操作ロックモードの処理を示したフローチャートである。
【００５３】
デジタルカメラ１００は、ユーザによる所定の操作にて、ウェアラブル操作ロックモードに入ると、各種操作部材の入力を電気的に受付けない、操作ロック状態とした上で、ステップＳ１０１へ進み、カメラ側の無線通信装置５４を起動させる。
【００５４】
ステップＳ１０１にて、カメラ側の無線通信装置５４を起動されると、ステップＳ１０２へ進み、通信可能範囲にウェアラブル装置３００がいるか否かの判定を行う。ウェアラブル装置３００がいるか否かの判定の判定は、無線通信装置５４で無線電波を発信し、応答するウェアラブル装置３００がいるか否かを、検知することで行われる。
【００５５】
ステップＳ１０２にて、通信可能範囲にウェアラブル装置３００がいると判定されると、ステップＳ１０３へ進み、検知されたウェアラブル装置３００が、デジタルカメラ１００に機器登録されているものであるか否かの判定を行う。
【００５６】
ステップＳ１０３にて、検知されたウェアラブル装置が機器登録されているものであると判定されると、ステップＳ１０４へ進み、カメラ側の振動加速度センサ５１を起動させる。カメラ側の振動加速度センサ５１は起動後、デジタルカメラ１００の振動加速度を検知し、振動加速度の波形を信号として単位時間ごとにシステム制御部５０に伝送する。
【００５７】
ステップＳ１０４にてカメラ側の振動加速度センサ５１が起動されると、ステップＳ１０５へ進み、ウェアラブル装置３００から、ウェアラブル装置３００の振動加速度の信号波形を受信する。ウェアラブル装置３００の振動加速度センサ９１は、検知した単位時間当たりの振動加速度の信号波形を、ウェアラブル装置側システム制御部９３に伝送している。ウェアラブル装置側システム制御部９３は、無線通信装置９２を介して、振動加速度センサ９１が検知した振動加速度の信号波形を、逐次、カメラ側無線通信装置５４へ送信している。
【００５８】
ステップＳ１０５にて、ウェアラブル装置３００の振動加速度の信号波形を受信すると、ステップＳ１０６へ進み、カメラ１００側の振動加速度の信号波形と、ウェアラブル装置３００の振動加速度の信号波形とが略同期しているか否かを判定する。振動加速度の信号波形の同期判定は、カメラ側システム制御部５０が、受信したウェアラブル装置３００の振動加速の信号波形と、カメラ側振動加速度センサ５１が検知した振動加速度の信号波形とを比較し、一致率を演算することで行われる。
【００５９】
ステップＳ１０６にて、カメラ１００側の振動加速度の信号波形と、ウェアラブル装置３００の振動加速度の信号波形とが略同期していると判定されると、ステップＳ１０７へ進み、操作ロック状態を解除して、操作信号を受け付けるようになる。
【００６０】
なお、ステップＳ１０２にて、通信可能範囲にウェアラブル装置３００がいないと判定されると、ステップＳ１１１へ進み、引き続き、操作ロックの状態を継続する。
【００６１】
また、ステップＳ１０３にて、検知されたウェアラブル装置が機器登録されていないものであると判定されると、ステップＳ１１１へ進み、操作ロックの状態を継続する。
【００６２】
なお、ステップＳ１０６にて、カメラ１００側の振動加速度の信号波形と、ウェアラブル装置３００の振動加速度の信号波形とが略同期していないと判定されると、カメラ１００が、撮影のために三脚や台座などに固定された状態であるか否かを判断するために、次のような処理を行う。
【００６３】
ステップＳ１０６にて、カメラ１００側の振動加速度の信号波形と、ウェアラブル装置３００の振動加速度の信号波形とが略同期していないと判定されると、ステップＳ１２１へ進み、カメラ側の振動加速度が所定値以下か、否かの判定を行う。カメラ側振動加速度センサ５１が検知した振動加速度の信号波形をシステム制御部にて演算し、所定値以下であるか否かを判定する。
【００６４】
ステップＳ１２１にて、カメラ側の振動加速度が所定値以下と判定されると、ステップＳ１２２へ進み、ウェアラブル装置３００がカメラ１００の所定距離範囲以内にいるか否かの判定を行う。ウェアラブル装置３００がカメラ１００の所定範囲以内にいるか否かの判定は、ウェアラブル装置側の無線通信装置９２から発せられる電波強度を、カメラ側の無線通信装置５４で検知し、検知した電波強度から機器間の距離を判定する。
【００６５】
ステップＳ１２２にて、ウェアラブル装置３００がカメラ１００の所定距離範囲以内にいると判定されると、ステップＳ１０７へ進み、操作ロック状態を解除して、操作信号を受付ける状態となる。
【００６６】
なお、ステップＳ１２１にて、カメラ側の振動加速度が所定値より上と判定されると、ステップＳ１３１へ進み、各種操作部材の入力を電気的に受付けない、操作ロック状態とする。
【００６７】
また、ステップＳ１２２にて、ウェアラブル装置３００がカメラ１００の所定距離範囲より外側にいると判定されると、ステップＳ１３１へ進み、各種操作部材の入力を電気的に受付けない、操作ロック状態とする。
【００６８】
上記のステップＳ１２１とステップＳ１２２を行うことで、カメラ１００が固定されて、ウェアラブル装置３００を装着したユーザが、リモート操作をしようとしているのか否かを判断するよう構成している。
【００６９】
なお、デジタルカメラ１００の電源ＳＷ７２がＯＦＦされた場合でも、無線通信装置５４は省電力で起動し続け、通信可能範囲にウェアラブル装置３００が存在するか否かを判定する。
【００７０】
なお、ステップＳ１０６でカメラ側振動加速度センサ５１とウェアラブル装置側加速度センサ９１の振動加速度が略同期しているか否かの判定をしているが、同期の一致率については、ユーザが任意でに設定できるように構成してもよい。
【００７１】
なお、本フローチャートでは振動加速度を検知することで、操作ロック状態にするか否かの制御を行っているが、これに限るものではなく、振動の振幅、周波数などを用いて制御してもよい。
【００７２】
図５は本実施形態による、操作ロックモード中に、電源スイッチ７２など、複数のポジションを持つトグルスイッチが誤操作された場合の、復帰処理を示したフローチャートである。フローチャート開始の前提として、ウェアラブル装置３００を利用した、操作ロックモードに入った上で、電源スイッチ７２がＯＦＦされている状態にある。
【００７３】
ウェアラブル装置３００とカメラ１００の振動加速度の信号波形が略同期と判定されて、操作ロック状態であるときに、ステップＳ２０１において、トグルスイッチの電源スイッチ７２がＯＮされたか否かを判定する。
【００７４】
ステップＳ２０１にて、電源スイッチ７２がＯＮされたと判定されると、ステップＳ２０２にて、ウェアラブル装置３００側の振動加速度の信号波形とカメラ１００側の振動加速度の信号波形が略同期しているか否かの判定を行う。
【００７５】
ステップＳ２０２において、ウェアラブル装置３００側の振動加速度とカメラ１００側の振動加速度が略同期していると判定されると、ステップＳ２０３へ進み、カメラ１００の電源をＯＮの状態とする。
【００７６】
上記のように、ステップＳ２０１から、ステップＳ２０３の判定を行うことで、電源スイッチがオンになった際、ウェアラブル装置３００とカメラ１００の振動加速度が略同期を確認したのちに電源ＯＮ状態とするよう構成する。
【００７７】
なお、ステップＳ２０２において、ウェアラブル装置３００側の振動加速度の信号波形とカメラ１００側の振動加速度の信号波形が略同期していないと判定されると、カメラ１００が、撮影のために三脚や台座などに固定された状態であるか否かを判断するために、次のような処理を行う。
【００７８】
ステップＳＳ２０２にて、カメラ１００側の振動加速度の信号波形と、ウェアラブル装置３００の振動加速度の信号波形とが略同期していないと判定されると、ステップＳ２１１へ進み、カメラ側の振動加速度が所定値以下か、否かの判定を行う。カメラ側振動加速度センサ５１が検知した振動加速度の信号波形をシステム制御部にて演算し、所定値以下であるか否かを判定する。
【００７９】
ステップＳ２１１にて、カメラ側の振動加速度が所定値以下と判定されると、ステップＳ２１２へ進み、ウェアラブル装置３００がカメラ１００の所定距離範囲以内にいるか否かの判定を行う。ウェアラブル装置３００がカメラ１００の所定範囲以内にいるか否かの判定は、ウェアラブル装置側の無線通信装置９２から発せられる電波強度を、カメラ側の無線通信装置５４で検知し、検知した電波強度から機器間の距離を判定する。
【００８０】
ステップＳ２１２にて、ウェアラブル装置３００がカメラ１００の所定距離範囲以内にいると判定されると、ステップＳ２０３へ進み、カメラ１００の電源をＯＮの状態とする。
【００８１】
なお、ステップＳ２１１にて、カメラ側の振動加速度が所定値より上と判定されると、ステップＳ２２１へ進み、電源スイッチ７２のポジションがＯＮであっても、電気的に電源ＯＦＦの状態を維持する。
【００８２】
また、ステップＳ２１２にて、ウェアラブル装置３００がカメラ１００の所定距離範囲より外側にいると判定されると、ステップＳ２２１へ進み、電源スイッチ７２のポジションがＯＮであっても、電気的に電源ＯＦＦの状態を維持する。
【符号の説明】
【００８３】
６０  モード切替スイッチ、６１  シャッターボタン、１００  デジタルカメラ
【図１】
2018205649.tif 000003
【図２】
2018205649.tif 000004
【図３】
2018205649.tif 000005
【図４】
2018205649.tif 000006
【図５】
2018205649.tif 000007